(57)【要約】【課題】  部品点数を削減できる回転式スイッチを提供する。【解決手段】  ロータ１４に捩りスプリングと圧縮スプリングを兼ねる一つのコイルスプリング１６を取り付け、ロータ１４の下部に係合凸部１４ｇからなるロータ側クリック感発生部を形成し、ハウジング１１に係合凸部１４ｇに対応する係合凹部１１ｂからなるハウジング側クリック感発生部を形成し、コイルスプリング１６の作用によって、ロータ１４の自動復帰機構のみならずクリック感発生機構も動作するように構成した。【選択図】  図４
2012043575.tif 000002
【特許請求の範囲】
【請求項１】
固定接点が配設されたハウジングと、前記固定接点に摺接する可動接点が配設されたロータと、前記ロータを覆うようにして、前記ハウジングに取り付けられたケースを具備する回転式スイッチにおいて、
前記ロータには、捩りスプリングと圧縮スプリングを兼ねる一つのコイルスプリングが取り付けられており、
前記コイルスプリングの作用により、前記ロータの自動復帰機構とクリック感発生機構が動作するように構成されていることを特徴とする回転式スイッチ。
【請求項２】
前記クリック感発生機構は、前記ロータの下部に形成された凹部若しくは凸部からなるロータ側クリック感発生部と、前記ハウジングに形成された前記ロータ側クリック感発生部に対応する凸部若しくは凹部からなるハウジング側クリック感発生部を有することを特徴とする請求項１に記載の回転式スイッチ。
【請求項３】
前記クリック感発生機構は、前記コイルスプリングの上部に形成された凹部若しくは凸部からなるスプリング側クリック感発生部と、前記ケースに形成された前記スプリング側クリック感発生部に対応する凸部若しくは凹部からなるケース側クリック感発生部を有することを特徴とする請求項１に記載の回転式スイッチ。
【発明の詳細な説明】
【技術分野】
【０００１】
本発明は、車載用のイグニッションスイッチなどに使用される回転式スイッチに関するものである。
【背景技術】
【０００２】
例えば特許文献１には、図７に示すような構造を有する自動車用イグニッションスイッチが記載されている。
【０００３】
このイグニッションスイッチ１００は、固定接点群１０２ａ，１０２ｂが配設される固定接点基盤１０１と、固定接点群１０２ａ，１０２ｂと対向して回転接触する可動接点１０８，１０９が配設される回転子１１７と、可動接点１０８，１０９及び回転子１１７を覆うようにして、固定接点基盤１０１に被着される筒状のハウジング１１８とを有している。
【０００４】
可動接点１０８は、この固定接点１０８と回転子１１７との間に配置されるスプリング１１０により、固定接点１０２ａに弾性的に接触している。
可動接点１０９は、この可動接点１０９と回転子１１７との間に配置されている３個のスプリング１１１により固定接点１０２ｂに弾圧的に接触している。
【０００５】
回転子１１７には、この回転子１１７を回動させる不図示のイグニッションキーが挿入されるキー穴１１７ａが設けられている。
また、回転子１１７の外周面の半径方向には、ボール配設用有底穴１１７ｅが形成されている。
このボール配設用有底穴１１７ｅには、クリック感発生用ボール１１２が、スプリング１１３によって半径方向外側に向けて弾圧的に配置されている。
【０００６】
符号１１４はコイルスプリング（捩りスプリング）、符号１１６はストッパである。このストッパ１１６は、回転子１１７に嵌合されており、回転子１１７の環状穴１１７ｃに挿入されるコイルスプリング１１４の抜け止めを構成すると共に、この回転子１１７のハウジング１１８に対するスラスト軸受を構成している。
【０００７】
ハウジング１１８の内周面には、回転子１１７の回転中心位置を保持するように回転子外周面に当接して回動支持する支持突起１１８ｂとクリック感発生用突起１１８ａが形成されている。
【０００８】
このように構成されたイグニッションスイッチ１００では、イグニッションキーがキー穴１１７ａに挿入されて、回動されることにより、ＬＯＣＫ位置、ＡＣＣ位置、ＯＮ位置、及びＳＴＡＲＴ位置の各々において、可動接点１０８の複数の接点群は、固定接点群１０２ａに対して、可動接点１０９の複数の接点群は、固定接点群１０２ｂに対して各々当接して、所定の電気的導通が行われるように構成されている。
また、回転子１１７をＯＮ位置からＳＴＡＲＴ位置まで回動させたとき、コイルスプリング１１４の作用によって回転子１１７がＳＴＡＲＴ位置からＯＮ位置に自動復帰するようになっている。
また、クリック感発生用ボール１１２は、ハウジング１１８の内周壁に形成されたクリック感発生用突起１１８ａを乗り越えたときにクリック感を生じ、ＡＣＣ位置等を操作者が感知できるようになっている。
【先行技術文献】
【特許文献】
【０００９】
【特許文献１】特開平９−２０９８８８号公報
【発明の概要】
【発明が解決しようとする課題】
【００１０】
しかしながら、上記従来のイグニッションスイッチでは、クリック感を生じさせるために、回転子１１７に形成されたボール配設用有底穴１１７ｅ内にスプリング１１３とクリック感発生用ボール１１２を配置しているため、スプリング１１３とクリック感発生用ボール１１２が必要であり、部品点数が多くなるという問題がある。
また、ボール配設用有底穴１１７ｅ内にスプリング１１３やクリック感発生用ボール１１２を配設する工程が必要であり、また、その状態を維持したまま可動接点１０８，１０９及び回転子１１７を覆うようにして、固定接点基盤１０１に筒状のハウジング１１８を被着する必要があるため、製造工程が非常に煩雑になり、製造コストが増大してしまうといった問題もある。
【００１１】
そこで、本発明は、部品点数を削減して、製造コストの増大を抑制できる車載用のイグニッションスイッチなどに使用される回転式スイッチを提供することを目的とするものである。
【課題を解決するための手段】
【００１２】
上記の目的を達成するために、本発明の回転式スイッチは、固定接点が配設されたハウジングと、前記固定接点に摺接する可動接点が配設されたロータと、前記ロータを覆うようにして、前記ハウジングに取り付けられたケースを具備する回転式スイッチにおいて、
前記ロータには、捩りスプリングと圧縮スプリングを兼ねる一つのコイルスプリングが取り付けられており、
前記コイルスプリングの作用により、前記ロータの自動復帰機構とクリック感発生機構が動作するように構成されていることを特徴とするものである。
【００１３】
また、本発明の回転式スイッチは、前記クリック感発生機構は、前記ロータの下部に形成された凹部若しくは凸部からなるロータ側クリック感発生部と、前記ハウジングに形成された前記ロータ側クリック感発生部に対応する凸部若しくは凹部からなるハウジング側クリック感発生部を有することを特徴としているものである。
【００１４】
また、本発明の回転式スイッチは、前記クリック感発生機構は、前記コイルスプリングの上部に形成された凹部若しくは凸部からなるスプリング側クリック感発生部と、前記ケースに形成された前記スプリング側クリック感発生部に対応する凸部若しくは凹部からなるケース側クリック感発生部を有することを特徴としているものである。
【発明の効果】
【００１５】
本発明の回転式スイッチでは、従来のイグニッションスイッチにおいてロータの自動復帰のためだけに設けられていたコイルスプリング（捩りスプリング）に圧縮スプリングの機能を付加し、このコイルスプリングの作用によって、ロータの自動復帰機構のみならずクリック感発生機構を動作させるように構成している。
このため、図７に示した従来のイグニッションスイッチにおいてクリック感を生じさせるために用いていたスプリング１１３とクリック感発生用ボール１１２が不要になり、部品点数を削減できると共に、製造工程が大幅に簡素化され、製造コストの増大を抑制することができる。
【図面の簡単な説明】
【００１６】
【図１】本発明の第１実施形態例に係る回転式スイッチをケース側から見た分解斜視図である。
【図２】本発明の第１実施形態例に係る回転式スイッチをハウジング側から見た分解斜視図である。
【図３】本発明の第１実施形態例に係る回転式スイッチの正面図である。
【図４】図３中のＡ−Ａ面における断面図であり、（ａ）は係合凹部１１ｂと係合凸部１４ｇが係合していない状態を示し、（ｂ）は係合凹部１１ｂと係合凸部１４ｇが係合している状態を示している。
【図５】本発明の第２実施形態例に係る回転式スイッチで用いられるコイルスプリングの斜視図である。
【図６】本発明の第２実施形態例に係る回転式スイッチの断面図であり、（ａ）は係合凹部１７ｆと係合凸部１６ｃが係合していない状態を示し、（ｂ）は係合凹部１７ｆと係合凸部１６ｃが係合している状態を示している。
【図７】従来例のイグニッションスイッチの分解斜視図である。
【発明を実施するための形態】
【００１７】
本発明の回転式スイッチは、ロータに捩りスプリングと圧縮スプリングを兼ねる一つのコイルスプリングを取り付け、このコイルスプリングの作用により、ロータの自動復帰機構とクリック感発生機構が動作するように構成したものであり、以下に本発明の実施形態例を図面により詳細に説明する。
【００１８】
（第１実施形態例）
図１乃至図４は本例に係る車載用のイグニッションスイッチとして用いる回転式スイッチ１０を示しており、図１はケース側から見た分解斜視図、図２はハウジング側から見た分解斜視図、図３は完成状態を示す正面図、図４は図３中のＡ−Ａ面における断面図である。
これらの図において、１１はハウジング、１２は固定接点、１３はコネクタ端子、１４はロータ、１５は可動接点、１６はコイルスプリング、１７はケースである。
【００１９】
ハウジング１１は、合成樹脂などの絶縁材からなる基盤であり、上面に複数の固定接点１２が配置形成されている。この固定接点１２は、ハウジング１１の下面に位置する複数のコネクタ端子１３にそれぞれ接続されている。
ハウジング１１の上面には、固定接点１２を囲むように環状凸部１１ａが設けられており、この環状凸部１１ａには複数（本例では４つ）の係合凹部１１ｂが形成されている。この係合凹部１１ｂは、ハウジング側のクリック感発生部として機能するものであり、軸方向（図の上下方向）に凹んだ形状となっている。
また、ハウジング１１の外周面には、複数の係合突起１１ｃが形成されており、この係合突起１１ｃに後述するケース１７の係合孔１７ｅが係合されて、これらが一体的に組み付けられるものとなっている。
また、ハウジング１１の固定接点１２の内側には、後述のロータ１４の支軸部１４ｅが挿入される軸孔１１ｄが形成された環状の軸受部１１ｅが設けられている。
【００２０】
ロータ１４は、合成樹脂などの絶縁材からなり、ハウジング１１と後述のケース１７により回転可能に支持されている。
ロータ１４の上部には、後述のケース１７に対する回転軸となる基軸部１４ａが形成されており、この基軸部１４ａには、軸方向にイグニッションキーを挿入するキー穴１４ｂが設けられている。
また、基軸部１４ａの周囲には、後述のコイルスプリング１６が挿入される環状溝１４ｃと、この環状溝１４ｃに繋がる切欠部１４ｄが設けられている。
また、ロータ１４の下部中央には、ハウジング１１に対する回転軸となる支軸部１４ｅが形成されている。
また、ロータ１４の下部周縁には、ハウジング１１の環状凸部１１ａに対面する環状部１４ｆが設けられており、この環状部１４ｆには係合凹部１１ｂに対応する複数（本例では４つ）の係合凸部１４ｇが形成されている。この係合凸部１４ｇは、ケース側のクリック感発生部として機能するものであり、軸方向に凸の形状となっている。
【００２１】
ロータ１４の環状部１４ｆの内側には、ロータ１４と一体的に回動するブラシ状の複数の可動接点１５が配設されており、この可動接点１５は固定接点１２に弾圧的に接触し得るものである。
【００２２】
コイルスプリング１６は、捩りスプリングと圧縮スプリングの双方の機能を兼ね備えるものであり、ロータ１４の基軸部１４ａに装着されて環状溝１４ｃ内に落とし込まれている。
コイルスプリング１６の両端は、アーム部１６ａ、１６ｂとして折り曲げ形成されている。下側のアーム部１６ａは、ロータ１４に形成された切欠部１４ｄに係合し、上側のアーム部１６ｂは、後述のケース１７の段差部１７ｂ，１７ｃ間のケース内領域に配されている。  
【００２３】
ケース１７は、合成樹脂などの絶縁材からなり、下方が開口した筒状に形成されている。
ケース１７の上部には、ロータ１４の基軸部１４ａが挿通される挿通孔１７ａが形成されており、この挿通孔１７ａにキー穴１４ｂが表出した状態でロータ１４が回動可能に支持される。
また、ケース１７の上部には、２つの段差部１７ｂ，１７ｃが形成されている。そして、この段差部１７ｂ，１７ｃ間のケース内領域が、コイルスプリング１６のアーム部１６ｂの可動領域となっている。本例では、アーム部１６ｂの可動領域は約１２０度に設定されている。
また、ケース１７の外周面には複数の係合孔１７ｅが設けられている。ケース１７は、ロータ１４を覆うようにして、係合突起１１ｃに係合孔１７ｅを係合してハウジング１１に一体的に組み付けられる。
【００２４】
図４の断面図において、（ａ）は、係合凹部１１ｂと係合凸部１４ｇが係合していない状態を示し、（ｂ）は、（ａ）の状態からロータ１４が所定の角度だけ回転して係合凹部１１ｂと係合凸部１４ｇが係合している状態を示している。
図４に示すように、いずれの状態においても、ロータ１４の基軸部１４ａはケース１７の挿通孔１７ａで径方向が支持され、ロータ１４の支軸部１４ｅはハウジング１１の軸孔１１ｄで径方向が支持されているため、ロータ１４が軸方向に移動してもロータは傾くことはない。
【００２５】
次に、本例の回転式スイッチ１０の動作について説明する。
まず、ケース１７の挿通孔１７ａから表出されたキー穴１４ｂにイグニッションキーを挿入して回動操作させると、ロータ１４が所定の方向に回動する。
この時、ロータ１４に配設された複数の可動接点１５がハウジング１１に配設された複数の固定接点１２と摺接され、回路の切り換えが行われる。すなわち、自動車のイグニッションスイッチのＬＯＣＫ位置、ＡＣＣ位置、ＯＮ位置及びＳＴＡＲＴ位置の夫々において、可動接点１５と固定接点１２は特定の対応関係を有する位置関係で当接する。
そして、本例の回転式スイッチ１０では、ロータ１４が一定の角度回動すると、コイルスプリング１６のアーム部１６ｂがケース１７の段差部１７ｂ，１７ｃの一方の内側に当接して、コイルスプリング１６は回転軸廻りで捩じられる。このため、回動操作を止めると、捩りスプリングとしてのコイルスプリング１６の付勢力によって、従来のイグニッションスイッチと同様にロータ１４は所定の回転位置に自動復帰することができる。
【００２６】
また、本例の回転式スイッチ１０では、コイルスプリング１６は捩りスプリングと圧縮スプリングの双方の特性を兼ね備えているため、ロータ１４が所定の回転位置に来ると、圧縮スプリングとしてのコイルスプリング１６の付勢力によって、ハウジング１１の係合凹部１１ｂの中にロータ１４の係合凸部１４ｇが落ち込み（図４（ｂ））、クリック感（節度感）が得られる。
特に本例の回転式スイッチ１０では、ロータ全体が軸方向に移動するため、非常に小さなクリック感発生用ボールを用いている従来のスイッチよりも明瞭なクリック感を得ることができる。
【００２７】
以上のように、本例の回転式スイッチ１０では、捩りスプリングと圧縮スプリングの双方の特性を兼ね備えるコイルスプリング１６を用いると共に、ロータ１４の下部に係合凸部１４ｇからなるロータ側クリック感発生部を形成し、ハウジング１１に係合凸部１４ｇに対応する係合凹部１１ｂからなるハウジング側クリック感発生部を形成したことにより、コイルスプリング１６の作用によって、ロータ１４の自動復帰機構のみならずクリック感発生機構も動作するように構成されている。
このため、本例の回転式スイッチ１０では、従来のイグニッションスイッチのように自動復帰用とは別のクリック感発生用のスプリングやクリック感発生用ボールを用いる必要がなく、部品点数を削減できると共に、製造工程が大幅に簡素化される。
【００２８】
なお、本例においては、ロータ１４の環状部１４ｆに係合凸部１４ｇを形成し、ハウジング１１の環状凸部１１ａに係合凹部１１ｂを形成しているが、例えば、ロータ１４の支軸部１４ｅの外周面にロータ側クリック感発生部として係合凸部を形成し、ハウジング１１の軸受部１１ｅの上面にハウジング側クリック感発生部として係合凹部を形成してもよい。
また、本例においては、ロータ側に係合凸部を形成し、ハウジング側に係合凹部を形成しているが、ロータ側に係合凹部を形成し、ハウジング側に係合凸部を形成して、クリック感を発生させるようにしてもよい。
【００２９】
（第２実施形態例）
次に、本発明の第２の実施形態例を説明する。
図５は本例の回転式スイッチ２０で用いるコイルスプリング１６の斜視図であり、図６は本例の回転式スイッチ２０の断面図である。
【００３０】
本例と第１実施形態例との違いは、第１実施形態例では、ロータ１４の下部に係合凸部１４ｇからなるロータ側クリック感発生部を形成し、ハウジング１１に係合凸部１４ｇに対応する係合凹部１１ｂからなるハウジング側クリック感発生部を形成したが、本例ではこれらの代わりに、コイルスプリング１６の上部に係合凸部１６ｃからなるスプリング側クリック感発生部を形成し、ケースにこの係合凸部１６ｃに対応する係合凹部１７ｆからなるケース側クリック感発生部を形成した点である。
本例の回転式スイッチ２０のその他の構造は、第１実施形態例の回転式スイッチ１０と同様であるので、同等部材には同一の符号を付し、各部材の説明は省略する。
【００３１】
図６の断面図において、（ａ）は、係合凹部１７ｆと係合凸部１６ｃが係合していない状態を示し、（ｂ）は、（ａ）の状態からロータ１４が所定の角度だけ回転して係合凹部１７ｆと係合凸部１６ｃが係合している状態を示している。
第１実施形態例の回転式スイッチ１０では、クリック感発生機構が動作する際にロータ１４が軸方向に移動するため明瞭なクリック感を得ることができるものの、固定接点と可動接点の接触圧が変動し易い問題がある。
一方、本例の回転式スイッチ２０では、図６に示すように、クリック感発生機構が動作する際にロータ１４が軸方向に移動することがなく、固定接点と可動接点の接触圧が変動し難いため、長期信頼性に優れるものとなる。
【００３２】
本例の回転式スイッチ２０においても、ケース１７の挿通孔１７ａから表出されたキー穴にイグニッションキーを挿入して回動操作させると、ロータ１４が一方向へ回動し、複数の可動接点１５が複数の固定接点１２と摺接され、回路の切り換えが行われる。
また、本例の回転式スイッチ２０においても、ロータ１４が一定の角度回動すると、コイルスプリング１６は回転軸廻りで捩じられるため、回動方向への押圧を止めると、捩りスプリングとしてのコイルスプリング１６の付勢力によって、ロータ１４は所定の回転位置に自動復帰することができる。
【００３３】
また、本例の回転式スイッチ２０においても、コイルスプリング１６は捩りスプリングと圧縮スプリングの双方の特性を兼ね備えているため、ロータ１４が所定の回転位置に来ると、圧縮スプリングとしてのコイルスプリング１６の付勢力によって、ケース１７の係合凹部１７ｆの中にコイルスプリング１６の係合凸部１６ｃが入り込み（図６（ｂ））、クリック感（節度感）が得られる。
【００３４】
以上のように、本例の回転式スイッチ２０では、捩りスプリングと圧縮スプリングの双方の特性を兼ね備えるコイルスプリング１６を用いると共に、コイルスプリング１６の上部に係合凸部１６ｃからなるスプリング側クリック感発生部を形成し、ケース１７に係合凸部１６ｃに対応する係合凹部１７ｆからなるケース側クリック感発生部を形成したことにより、コイルスプリング１６の作用によって、ロータ１４の自動復帰機構のみならずクリック感発生機構も動作するように構成されている。
このため、本例の回転式スイッチ２０においても、部品点数を削減できると共に、製造工程が大幅に簡素化される。
【００３５】
なお、本例においては、コイルスプリング側に係合凸部を形成し、ケース側に係合凹部を形成しているが、コイルスプリング側に係合凹部を形成し、ケース側に係合凸部を形成して、クリック感を発生させるようにしてもよい。
【００３６】
以上、本発明の２つの実施形態例を説明したが、本発明はこれらの実施形態例に限定されるものではなく、本発明の要旨を逸脱しない範囲で、適宜の変更等ができることは言うまでもない。
【符号の説明】
【００３７】
１０、２０  回転式スイッチ
１１  ハウジング
１１ａ  環状凸部
１１ｂ  係合凹部
１１ｃ  係合突起
１１ｄ  軸孔
１１ｅ  軸受部
１２  固定接点
１３  コネクタ端子
１４  ロータ
１４ａ  基軸部
１４ｂ  キー穴
１４ｃ  環状溝
１４ｄ  切欠部
１４ｅ  支軸部
１４ｆ  環状部
１４ｇ  係合凸部
１５  可動接点
１６  コイルスプリング
１６ａ、１６ｂ  アーム部
１６ｃ  係合凸部
１７  ケース
１７ａ  挿通孔
１７ｂ、１７ｃ  段差部
１７ｅ  係合孔
１７ｆ  係合凹部
１００  イグニッションスイッチ
１０１  固定接点基盤
１０２ａ、１０２ｂ  固定接点群
１０８、１０９  可動接点
１１０、１１１、１１３  スプリング
１１２  クリック感発生用ボール
１１４  コイルスプリング（捩りスプリング）
１１６  ストッパ
１１７  回転子
１１７ａ  キー穴
１１７ｃ  環状穴
１１７ｅ  ボール配設用有底穴
１１８  ハウジング
１１８ａ  クリック感発生用突起
１１８ｂ  支持突起
【図１】
2012043575.tif 000003
【図２】
2012043575.tif 000004
【図３】
2012043575.tif 000005
【図４】
2012043575.tif 000006
【図５】
2012043575.tif 000007
【図６】
2012043575.tif 000008
【図７】
2012043575.tif 000009